【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
画像ファイルを位置情報および日時情報と関連付けて記録媒体に記録する記録手段と、
前記記録媒体に記録されている画像ファイルを再生する再生手段と、
外部装置の記録媒体に記録されているタグ情報のうち、前記再生手段により再生される画像ファイルに関連付けられている位置情報に基づき決定されるタグ情報を受信する受信手段と、
前記受信したタグ情報のうち、前記再生される画像ファイルに関連付けられている日時情報に基づき、前記画像ファイルの再生画面に表示するためのタグ情報を決定する決定手段と、
前記決定手段により決定されたタグ情報を、前記画像ファイルの再生画面に表示するよう制御する表示制御手段と
を有することを特徴とする表示制御装置。
【請求項２】
前記表示制御手段は、前記決定手段により決定されたタグ情報を、前記画像ファイルの再生画面に重畳して表示するよう制御することを特徴とする請求項１に記載の表示制御装置。
【請求項３】
前記決定手段は、前記再生される画像ファイルに、生成日時として関連付けられている日時情報に基づき、前記画像ファイルの再生画面に重畳して表示するためのタグ情報を決定することを特徴とする請求項１または２に記載の表示制御装置。
【請求項４】
前記決定手段は、前記再生される画像ファイルに、更新日時として関連付けられている日時情報に基づき、前記画像ファイルの再生画面に重畳して表示するためのタグ情報を決定することを特徴とする請求項１または２に記載の表示制御装置。
【請求項５】
ユーザの操作に応じた指示を受け付ける受け付け手段を更に有し、
前記決定手段は、前記再生される画像ファイルに生成日時として関連付けられている日時情報と、前記再生される画像ファイルに更新日時として関連付けられている日時情報とのうち、ユーザの操作に応じて選択される日時情報に基づき、前記画像ファイルの再生画面に重畳して表示するためのタグ情報を決定することを特徴とする請求項１または２に記載の表示制御装置。
【請求項６】
ユーザの操作に応じた指示を受け付ける受け付け手段を更に有し、
前記決定手段は、前記再生される画像ファイルに生成日時として関連付けられている日時情報と、前記再生される画像ファイルに更新日時として関連付けられている日時情報と、現在の日時を示す日時情報とのうち、ユーザの操作によって選択される日時情報に基づき、前記画像ファイルの再生画面に重畳して表示するためのタグ情報を決定することを特徴とする請求項１または２に記載の表示制御装置。
【請求項７】
前記表示制御手段により前記タグ情報が前記画像ファイルの再生画面に重畳して表示するよう制御された場合、前記再生される画像ファイルに関連付けられている更新日時を更新する更新手段を更に有することを特徴とする請求項４乃至６のいずれか１項に記載の表示制御装置。
【請求項８】
前記更新日時は、前記画像ファイルが記録されている記録媒体の管理領域に記録されていることを特徴とする請求項４乃至７のいずれか１項に記載の表示制御装置。
【請求項９】
前記生成日時は、前記画像ファイルのヘッダ領域に記録されていることを特徴とする請求項３、５、６のいずれか１項に記載の表示制御装置。
【請求項１０】
前記画像ファイルは、位置情報と日時情報とに加えて、更に方位情報も関連付けられており、
前記決定手段は、前記受信したタグ情報のうち、前記再生される画像ファイルに関連付けられている日時情報および方位情報とに基づき、前記画像ファイルの再生画面に重畳して表示するタグ情報を決定することを特徴とする請求項１乃至９のいずれか１項に記載の表示制御装置。
【請求項１１】
前記画像ファイルは、位置情報と日時情報とに加えて、更に方位情報も関連付けられており、
前記受信手段は、外部装置の記録媒体に記録されているタグ情報のうち、前記再生手段により再生される画像ファイルに関連付けられている位置情報および方位情報に基づき決定されるタグ情報を受信することを特徴とする請求項１乃至９のいずれか１項に記載の表示制御装置。
【請求項１２】
被写体を撮像して画像ファイルを生成する撮像手段を更に有し、
前記記録手段は、前記撮像手段により生成された画像ファイルを位置情報および日時情報と関連付けて記録媒体に記録することを特徴とする請求項１乃至１１のいずれか１項に記載の表示制御装置。
【請求項１３】
前記表示制御装置の現在の位置を示す位置情報を取得する位置取得手段と、
現在の日時を示す現在日時を取得する日時取得手段とを更に有し、
前記撮像手段は更に、連続して撮像することで得られる画像データを表示部に順次出力し、
前記撮像手段により前記画像データが表示部に順次出力される場合、前記受信手段は更に、前記外部装置の記録媒体に記録されているタグ情報のうち、前記表示制御装置の現在の位置を示す現在位置に基づき決定されるタグ情報を受信し、
前記決定手段は更に、前記受信手段により受信されたタグ情報のうち、現在の日時を示す現在日時に基づき、前記表示部に出力される画像データに重畳して表示するためのタグ情報を決定し、
前記表示制御手段は更に、前記決定手段により決定されたタグ情報を、前記表示部に出力される画像データに重畳して表示するよう制御することを特徴とする請求項１２に記載の表示制御装置。
【請求項１４】
前記画像ファイルは静止画像ファイルであることを特徴とする請求項１乃至１３のいずれか１項に記載の表示制御装置。
【請求項１５】
前記画像ファイルは動画像ファイルであり、
前記再生される動画像ファイルに関連付けられている日時情報に、前記動画像ファイルの任意のフレームにおける先頭フレームからの再生時間を加算して、新たに日時情報を算出する算出手段を有し、
前記決定手段は、前記受信したタグ情報のうち、前記算出手段により算出された日時情報に基づき、前記画像ファイルの再生画面に重畳して表示するためのタグ情報を決定することを特徴とする請求項１乃至１３のいずれか１項に記載の表示制御装置。
【請求項１６】
位置情報および日時情報が関連付けられている画像ファイルを記録媒体に記録する記録手段と、
前記記録媒体に記録されている画像ファイルを再生する再生手段と、
前記再生する画像ファイルに関連付けられている位置情報と日時情報とを外部装置に送信する送信手段と、
前記外部装置の記録媒体に記録されているタグ情報のうち、前記送信手段により送信された位置情報と日時情報とに基づき決定されるタグ情報を受信する受信手段と、
前記受信したタグ情報を、前記画像ファイルの再生画面に表示するよう制御する表示制御手段と
を有することを特徴とする表示制御装置。
【請求項１７】
位置情報が関連付けられている画像ファイルを記録媒体に記録する記録手段と、  
前記記録媒体に記録されている画像ファイルを再生する再生手段と、
前記再生手段により再生される画像ファイルに関連付けられている位置情報に基づき決定される複数のタグ情報を取得する取得手段と、
前記取得したタグ情報のうち、日時情報に基づき前記画像ファイルの再生画面に表示するためのタグ情報を決定する決定手段と、
前記決定手段により決定されたタグ情報を、前記画像ファイルの再生画面に表示するよう制御する表示制御手段と
を有することを特徴とする表示制御装置。
【請求項１８】
画像ファイルを位置情報および日時情報と関連付けて記録媒体に記録する記録ステップと、
前記記録媒体に記録されている画像ファイルを再生する再生ステップと、
外部装置の記録媒体に記録されているタグ情報のうち、前記再生される画像ファイルに関連付けられている位置情報に基づき決定されるタグ情報を受信する受信ステップと、
前記受信したタグ情報のうち、前記再生される画像ファイルに関連付けられている日時情報に基づき、前記画像ファイルの再生画面に表示するためのタグ情報を決定する決定ステップと、
前記決定ステップで決定されたタグ情報を、前記画像ファイルの再生画面に表示するよう制御する表示制御ステップと
を有することを特徴とする表示制御装置の制御方法。
【請求項１９】
コンピュータを、請求項１乃至１７のいずれか１項に記載の表示制御装置として機能させるためのプログラム。
【手続補正２】
【補正対象書類名】明細書
【補正対象項目名】０００６
【補正方法】変更
【補正の内容】
【０００６】
本発明は、画像ファイルを位置情報および日時情報と関連付けて記録媒体に記録する記録手段と、前記記録媒体に記録されている画像ファイルを再生する再生手段と、外部装置の記録媒体に記録されているタグ情報のうち、前記再生手段により再生される画像ファイルに関連付けられている位置情報に基づき決定されるタグ情報を受信する受信手段と、前記受信したタグ情報のうち、前記再生される画像ファイルに関連付けられている日時情報に基づき、前記画像ファイルの再生画面に表示するためのタグ情報を決定する決定手段と、前記決定手段により決定されたタグ情報を、前記画像ファイルの再生画面に表示するよう制御する表示制御手段とを有することを特徴とする。